(57)【要約】【課題】本発明は、利用者の利便性を向上させることができるエレベータのかご室を得ることを目的とするものである。【解決手段】ベルト１４は、非使用時には、巻取装置１５により巻き取られ、カバー１３内に収容されている。ベルト１４の先端部には、フック１６が取り付けられている。フック１６は、かご床２上の荷物をベルト１４で固定する際に床溝又は幅木溝に引っ掛けられる。また、フック１６は、ベルト１４の非使用時には、係合穴１６ａにピン１２を挿通させることにより、ピン１２に掛けられる。ピン１２は、ベルト１４の非使用時にフック１６に掛けられた荷物の荷重を支持する。【選択図】図３
2011162348.tif 000002
【特許請求の範囲】
【請求項１】
かご床、かご室壁及び天井を有するかご室本体と、
前記かご室壁に設けられている荷物固定用の紐状体と、
前記紐状体の端部に取り付けられているフックと
を備え、
前記かご室本体内には、前記かご床上の荷物を前記紐状体で固定する際に前記フックを掛ける引掛部が設けられており、
前記かご室壁には、前記紐状体の非使用時に前記フックを掛ける荷重支持部が設けられており、
前記荷重支持部は、前記紐状体の非使用時に前記フックに掛けられた荷物の荷重を支持することを特徴とするエレベータのかご室。
【請求項２】
前記かご室壁に設けられ、非使用時に前記紐状体を巻き取る巻取装置をさらに備えていることを特徴とする請求項１記載のエレベータのかご室。
【請求項３】
前記荷重支持部の上方に隣接して前記かご室壁に設けられ、非使用時に前記紐状体が収容されるカバーをさらに備えていることを特徴とする請求項１又は請求項２に記載のエレベータのかご室。
【発明の詳細な説明】
【技術分野】
【０００１】
この発明は、荷物を掛けるためのフックがかご室壁に設けられているエレベータのかご室に関するものである。
【背景技術】
【０００２】
従来のエレベータのかご室では、荷物を掛けるためのフックがかご室壁に設けられている。これにより、利用者が両手に荷物を持って乗車した場合でも、荷物をフックに掛けることでかご操作盤の操作が容易になる（例えば、特許文献１参照）。
【先行技術文献】
【特許文献】
【０００３】
【特許文献１】特開２００５−１４５６１５号公報
【発明の概要】
【発明が解決しようとする課題】
【０００４】
上記のような従来のエレベータのかご室では、手に持った荷物をフックに掛けることはできるものの、かご床に置いた荷物を固定することはできず、倒れやすい荷物をかご床に置く場合に、荷物を固定したいという要求があった。
【０００５】
この発明は、上記のような課題を解決するためになされたものであり、利用者の利便性を向上させることができるエレベータのかご室を得ることを目的とする。
【課題を解決するための手段】
【０００６】
この発明に係るエレベータのかご室は、かご床、かご室壁及び天井を有するかご室本体と、かご室壁に設けられている荷物固定用の紐状体と、紐状体の端部に取り付けられているフックとを備え、かご室本体内には、かご床上の荷物を紐状体で固定する際にフックを掛ける引掛部が設けられており、かご室壁には、紐状体の非使用時にフックを掛ける荷重支持部が設けられており、荷重支持部は、紐状体の非使用時にフックに掛けられた荷物の荷重を支持する。
【発明の効果】
【０００７】
この発明のエレベータのかご室は、荷重支持部にフックを掛けることで、フックに荷物を掛けることができ、また、フックを荷重支持部から外して引掛部に掛けることで、紐状体を荷物固定用に利用することができ、従って、利用者の利便性を向上させることができる。
【図面の簡単な説明】
【０００８】
【図１】この発明の実施の形態１によるエレベータのかご室の内部を示す正面図であり、かご室内からかご出入口側を見た図である。
【図２】図１のかご室の内部を示す立体図である。
【図３】図２のフック装置を拡大して示す透視斜視図である。
【図４】図３のフック装置のＩＶ−ＩＶ線に沿う断面図である。
【図５】図２のフック装置を荷物掛けとして使用した様子を示す斜視図である。
【図６】図３のベルト使用時の様子を示す斜視図である。
【図７】図２のフック装置のフックを床溝の幅広部に引っ掛けた状態を示す断面図である。
【図８】図７のフック及び床溝を示す斜視図である。
【図９】図２のフック装置のフックを幅木溝の幅広部に引っ掛けた状態を示す断面図である。
【図１０】図９のフック及び幅木溝を示す斜視図である。
【図１１】この発明の実施の形態２によるエレベータのかご室の幅木を示す斜視図である。
【図１２】この発明の実施の形態３によるエレベータのかご室の幅木を示す斜視図である。
【図１３】この発明の実施の形態４によるエレベータのかご室のかご床を示す斜視図である。
【図１４】この発明の実施の形態５によるエレベータのかご室のかご床を示す斜視図である。
【図１５】図１４のＸＶ−ＸＶ線に沿う断面図である。
【図１６】図１４の引掛金具にフックを掛けた状態を示す斜視図である。
【発明を実施するための形態】
【０００９】
以下、この発明を実施するための形態について、図面を参照して説明する。
実施の形態１．
図１はこの発明の実施の形態１によるエレベータのかご室の内部を示す正面図であり、かご室内からかご出入口側を見た図である。また、図２は図１のかご室の内部を示す立体図である。図において、かご室本体１は、かご床２、複数のかご室壁３、天井４、及び複数の幅木５を有している。
【００１０】
かご床２には、引掛部としての直線状の床溝２ａが設けられている。床溝２ａは、かご室本体１の幅方向の中央部に、かご室本体１の幅方向に直角な方向（奥行き方向）に沿って設けられている。床溝２ａには、他の部分よりも開口幅が拡張された複数の幅広部２ｂが設けられている。幅広部２ｂは、床溝２ａの長さ方向に互いに間隔をおいて配置されている。
【００１１】
幅木５は、かご室壁３とかご床２との間に設けられている。幅木５には、引掛部としての直線状の幅木溝５ａが設けられている。幅木溝５ａは、幅木５の上下方向（幅方向）の中央部に、幅木５の長さ方向に沿って設けられている。幅木溝５ａには、他の部分よりも開口幅が拡張された複数の幅広部５ｂが設けられている。幅広部５ｂは、幅木溝５ａの長さ方向に互いに間隔をおいて配置されている。
【００１２】
かご室本体１の前面には、かご出入口１ａが設けられている。かご出入口１ａは、かごの戸６により開閉される。かご出入口１ａの横のかご室壁３、即ち袖壁には、かご操作盤７が設けられている。かご操作盤７には、行先階を指定するための複数の行先階釦、かごの戸６を開閉するための開閉釦、及びディスプレイ等（いずれも図示略）が設けられている。
【００１３】
かご室本体１の側面に位置する一対のかご室壁３には、フック装置８がそれぞれ設けられている。これらのフック装置８は、互いに対向するようにほぼ同じ高さに設けられている。また、一方のフック装置８は、かご操作盤７の近傍に設けられている。
【００１４】
図３は図２のフック装置８を拡大して示す透視斜視図、図４は図３のフック装置８のＩＶ−ＩＶ線に沿う断面図である。かご室壁３には、背板１１が接合され固定されている。背板１１の下端部近傍には、荷重支持部としてのピン１２が立設されている。背板１１には、カバー（安全カバー）１３が固定されている。ピン１２は、カバー１３外に配置され、かご室内に露出されている。
【００１５】
カバー１３内には、荷物固定用の紐状体であるベルト１４が収容されている。また、カバー１３内には、ベルト１４を巻き取る巻取装置１５が設けられている。ベルト１４としては、例えばゴムベルトが用いられている。巻取装置１５は、ベルト１４の基端部が接続された巻取軸と、ベルト１４を巻き取る方向へ巻取軸を付勢するぜんまいばねとを有している。ベルト１４は、非使用時には、巻取装置１５により巻き取られ、カバー１３内に収容されている。
【００１６】
ベルト１４の先端部には、フック１６が取り付けられている。フック１６には、ピン１２が挿通される係合穴（長穴）１６ａが設けられている。また、フック１６のベルト１４とは反対側の端部は、断面円弧状に湾曲されている。
【００１７】
フック１６は、かご床２上の荷物をベルト１４で固定する際に床溝２ａ又は幅木溝５ａに引っ掛けられる。また、フック１６は、ベルト１４の非使用時には、係合穴１６ａにピン１２を挿通させることにより、ピン１２に掛けられる。ピン１２は、ベルト１４の非使用時にフック１６に掛けられた荷物の荷重を支持する。
【００１８】
図５は図２のフック装置８を荷物掛けとして使用した様子を示す斜視図である。図５に示すように、フック１６をピン１２に掛けた状態では、フック１６に利用者の手提げ荷物１７を掛けることができる。このとき、手提げ荷物１７の荷重は、フック１６、ピン１２及び背板１１を介してかご室壁３により支持される。
【００１９】
図６は図３のベルト１４使用時の様子を示す斜視図である。図６に示すように、フック１６をピン１２から外し、ベルト１４をフック装置８から引き出して、フック１６を床溝２ａの幅広部２ｂに引っ掛けることにより、かご床２上に置かれた荷物１８ａ，１８ｂをかご床２上に安定して固定することができる。従って、利用者が荷扱い業者等である場合、荷物１８ａ，１８ｂをかご床２上に固定した状態で、かご操作盤７の操作等を容易に行うことができる。また、荷物１８ａ，１８ｂの量が多い場合やサイズが大きい場合には、フック装置８とは反対側の幅木５に設けられた幅木溝５ａにフック１６を引っ掛けることもできる。
【００２０】
図７は図２のフック装置８のフック１６を床溝２ａの幅広部２ｂに引っ掛けた状態を示す断面図、図８は図７のフック１６及び床溝２ａを示す斜視図である。かご床２の下部には、断面コ字形の箱体１９が固定されている。床溝２ａは、箱体１９内の空間に連通されている。
【００２１】
図９は図２のフック装置８のフック１６を幅木溝５ａの幅広部５ｂに引っ掛けた状態を示す断面図、図１０は図９のフック１６及び幅木溝５ａを示す斜視図である。なお、図９は図１０のＩＸ−ＩＸ線に沿う断面を示している。図７ないし図１０に示すように、フック１６を幅広部２ｂ，５ｂに引っ掛けることにより、床溝２ａ及び幅木溝５ａの長手方向へフック１６が滑ってずれるのを防止することができる。
【００２２】
このようなエレベータのかご室では、ピン１２にフック１６を掛けることで、フック１６に手提げ荷物１７等の荷物を掛けることができ、また、フック１６をピン１２から外して床溝２ａや幅木溝５ａに掛けることで、ベルト１４を荷物固定用に利用することができ、従って、利用者の利便性を向上させることができる。
【００２３】
また、非使用時にベルト１４を巻き取る巻取装置１５をフック装置８に設けたので、ベルト１４をコンパクトに収容することができる。
さらに、巻取装置１５にぜんまいばねを設けたので、ベルト１４を自動で巻き取ることができ、操作性が向上する。
【００２４】
さらにまた、巻取装置１５に巻き取られたベルト１４を覆うカバー１３をフック装置８に設けたので、収容されたベルト１４に乗客の衣服等が引っ掛かるのを防止することができるとともに、意匠性を向上させることができる。
また、カバー１３は、図４に示すように、ピン１２に掛けられたフック１６よりもかご室の内側へ突出しているため、乗客の衣服等がフック１６に引っ掛かるのを防止することもできる。
【００２５】
実施の形態２．
図１１はこの発明の実施の形態２によるエレベータのかご室の幅木を示す斜視図である。幅木２１の下端部には、フック１６が掛けられる引掛部としての複数の凹部２１ａが、幅木２１の長さ方向に互いに間隔をおいて設けられている。他の構成は、実施の形態１と同様である。
【００２６】
このように、幅木２１の凹部２１ａにフック１６を掛けるようにしても、実施の形態１と同様の効果を得ることができる。
【００２７】
実施の形態３．
図１２はこの発明の実施の形態３によるエレベータのかご室の幅木を示す斜視図である。幅木２２の上下方向の中間部には、フック１６が掛けられる引掛部としての複数の長穴２２ａが、幅木２２の長さ方向に互いに間隔をおいて設けられている。他の構成は、実施の形態１と同様である。
【００２８】
このように、幅木２２の長穴２２ａにフック１６を掛けるようにしても、実施の形態１と同様の効果を得ることができる。
【００２９】
実施の形態４．
図１３はこの発明の実施の形態４によるエレベータのかご室のかご床を示す斜視図である。かご床２には、フック１６が掛けられる引掛部としての複数の長穴２ｃが設けられている。長穴２ｃは、かご室本体１の幅方向の中央部に、かご室本体１の幅方向に直角な方向（奥行き方向）に互いに間隔をおいて設けられている。他の構成は、実施の形態１と同様である。
【００３０】
このように、かご床２の長穴２ｃにフック１６を掛けるようにしても、実施の形態１と同様の効果を得ることができる。
【００３１】
実施の形態５．
図１４はこの発明の実施の形態５によるエレベータのかご室のかご床を示す斜視図、図１５は図１４のＸＶ−ＸＶ線に沿う断面図、図１６は図１４の引掛金具２３にフック１６を掛けた状態を示す斜視図である。かご床２には、フック１６が掛けられる引掛部としてのコ字形の引掛金具２３が、一対のピン２４を介して回動自在に取り付けられている。また、かご床２には、引掛金具２３を引き起こす際に指を挿入するための凹部２ｄと、非使用時に引掛金具２３を収容する一対の収容溝２ｅとが設けられている。他の構成は、実施の形態１と同様である。
【００３２】
このように、かご床２に取り付けた引掛金具２３にフック１６を掛けるようにしても、実施の形態１と同様の効果を得ることができる。
【００３３】
なお、上記の例では、荷重支持部としてピン１２を示したが、かご室壁３又は背板１１に荷重支持部としての穴を設け、その穴にフック１６に設けた突起部を掛けるようにしてもよい。
また、フック装置８の個数は、上記の例に限定されるものではなく、１個でも３個以上でもよい。
さらに、フック装置８の位置も、上記の例に限定されるものではなく、例えば２個以上のフック装置８を上下又は左右に並べて配置するなどしてもよい。
さらにまた、上記の例では、ベルト１４を背板１１に巻取収納したが、例えば、かご室壁３にベルト１４を通す穴を設け、非使用時にはかご室壁３の外側にベルト１４を収納するようにしてもよい。また、収納方法も巻取に限定されない。
また、紐状体はベルト１４に限定されるものではなく、例えばロープ又はワイヤ等であってもよい。
さらに、上記の例では、かご床２及び幅木５，２１，２２に引掛部を設けたが、かご室本体１の他の箇所、例えばかご室壁３に設けてもよい。
【符号の説明】
【００３４】
１  かご室本体、２  かご床、２ａ  床溝（引掛部）、２ｃ  長穴（引掛部）、３  かご室壁、５ａ  幅木溝（引掛部）、１２  ピン（荷重支持部）、１３  カバー、１４  ベルト（紐状体）、１５  巻取装置、１６  フック、１７  手提げ荷物、１８ａ，１８ｂ  荷物、２１ａ  凹部（引掛部）、２２ａ  長穴（引掛部）、２３  引掛金具（引掛部）。
【図１】
2011162348.tif 000003
【図２】
2011162348.tif 000004
【図３】
2011162348.tif 000005
【図４】
2011162348.tif 000006
【図５】
2011162348.tif 000007
【図６】
2011162348.tif 000008
【図７】
2011162348.tif 000009
【図８】
2011162348.tif 000010
【図９】
2011162348.tif 000011
【図１０】
2011162348.tif 000012
【図１１】
2011162348.tif 000013
【図１２】
2011162348.tif 000014
【図１３】
2011162348.tif 000015
【図１４】
2011162348.tif 000016
【図１５】
2011162348.tif 000017
【図１６】
2011162348.tif 000018